【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
カテーテルを収容するケース本体と、該ケース本体に変位可能に設けられ別物に引っ掛けて吊り下げるためのフックと、を備えたカテーテルケースにおいて、
前記フックを別物に引っ掛けるときの使用位置に少なくとも拘束可能なロック機構を有し、
前記フックは、前記ケース本体に回転可能に設けられ、その回転中心となる軸部を有し、
前記ケース本体は、前記軸部を回転可能に支持する軸受部が設けられた別体の装着部を有し、
前記装着部は、前記ケース本体の開口した上端部外周に外嵌した状態でスナップフィットにより係合し、かつ前記装着部の内部にある内側管部が前記ケース本体の上端部内側に圧入されて固定されたことを特徴とするカテーテルケース。
【請求項２】
前記ロック機構は、前記フックを前記使用位置のほか、使用しないときの格納位置にも拘束可能であり、
前記ロック機構は、前記軸部を前記軸受部に対して前記使用位置と前記格納位置とに拘束可能であることを特徴とする請求項１に記載のカテーテルケース。
【請求項３】
前記ロック機構は、前記軸部に対する回転方向への押圧力により、前記軸部を前記軸受部に対して前記使用位置と前記格納位置とに拘束および拘束解除が可能であることを特徴とする請求項２に記載のカテーテルケース。
【請求項４】
前記軸受部は、前記軸部が回転可能に嵌合する軸穴と、前記軸穴の内周より所定の中心角の範囲で半径方向外側へ一定幅に広がるカム溝と、を有し、
前記軸部は、その外周より半径方向外側に突出して前記カム溝に移動可能に案内されるカムを有し、
前記ロック機構は、少なくとも前記カムと前記カム溝と、から成り、
前記カム溝の両端付近の周縁に、前記カムが前記押圧力により係合しつつ乗り越えた後、前記カムを前記カム溝の端に拘束させる突起がそれぞれ設けられ、
前記カムが前記カム溝の一端に拘束されたとき、前記フックは前記使用位置となり、前記カムが前記カム溝の他端に拘束されたとき、前記フックは前記格納位置となるように設定されたことを特徴とする請求項３に記載のカテーテルケース。
【手続補正２】
【補正対象書類名】明細書
【補正対象項目名】０００６
【補正方法】変更
【補正の内容】
【０００６】
前述した目的を達成するための本発明の要旨とするところは、以下の各項の発明に存する。  
［１］カテーテルを収容するケース本体（１１）と、該ケース本体（１１）に変位可能に設けられ別物に引っ掛けて吊り下げるためのフック（２０）と、を備えたカテーテルケース（１０）において、
前記フック（２０）を別物に引っ掛けるときの使用位置に少なくとも拘束可能なロック機構を有し、
前記フック（２０）は、前記ケース本体（１１）に回転可能に設けられ、その回転中心となる軸部（２１）を有し、
前記ケース本体（１１）は、前記軸部（２１）を回転可能に支持する軸受部（３０）が設けられた別体の装着部（１３）を有し、
前記装着部（１３）は、前記ケース本体（１１）の開口した上端部外周に外嵌した状態でスナップフィットにより係合し、かつ前記装着部（１３）の内部にある内側管部（１４）が前記ケース本体（１１）の上端部内側に圧入されて固定されたことを特徴とするカテーテルケース（１０）。
【手続補正３】
【補正対象書類名】明細書
【補正対象項目名】０００７
【補正方法】変更
【補正の内容】
【０００７】
［２］前記ロック機構は、前記フック（２０）を前記使用位置のほか、使用しないときの格納位置にも拘束可能であり、
前記ロック機構は、前記軸部（２１）を前記軸受部（３０）に対して前記使用位置と前記格納位置とに拘束可能であることを特徴とする前記［１］に記載のカテーテルケース（１０）。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
［３］前記ロック機構は、前記軸部（２１）に対する回転方向への押圧力により、前記軸部（２１）を前記軸受部（３０）に対して前記使用位置と前記格納位置とに拘束および拘束解除が可能であることを特徴とする前記［２］に記載のカテーテルケース（１０）。
【手続補正６】
【補正対象書類名】明細書
【補正対象項目名】００１０
【補正方法】変更
【補正の内容】
【００１０】
［４］前記軸受部（３０）は、前記軸部（２１）が回転可能に嵌合する軸穴（３１）と、前記軸穴（３１）の内周より所定の中心角の範囲で半径方向外側へ一定幅に広がるカム溝（３２）と、を有し、
前記軸部（２１）は、その外周より半径方向外側に突出して前記カム溝（３２）に移動可能に案内されるカム（２４）を有し、
前記ロック機構は、少なくとも前記カム（２４）と前記カム溝（３２）と、から成り、
前記カム溝（３２）の両端付近の周縁に、前記カム（２４）が前記押圧力により係合しつつ乗り越えた後、前記カム（２４）を前記カム溝（３２）の端に拘束させる突起（３３）がそれぞれ設けられ、
前記カム（２４）が前記カム溝（３２）の一端に拘束されたとき、前記フック（２０）は前記使用位置となり、前記カム（２４）が前記カム溝（３２）の他端に拘束されたとき、前記フック（２０）は前記格納位置となるように設定されたことを特徴とする前記［３］に記載のカテーテルケース（１０）。
【手続補正７】
【補正対象書類名】明細書
【補正対象項目名】００１２
【補正方法】変更
【補正の内容】
【００１２】
これにより、フック（２０）を別物に引っ掛けるときに、フック（２０）を使用位置に手で押さえて変位を止める必要はない。すなわち、ロック機構により使用位置に拘束されているフック（２０）を、そのまま別物に容易に引っ掛けることが可能となり、カテーテルケース（１０）の使い勝手が向上する。
また、フック（２０）にある軸部（２１）が、ケース本体（１１）の別体である装着部（１３）に設けられた軸受部（３０）に支持されることで、フック（２０）はケース本体（１１）に対して回転（変位の一種）する。よって、フック（２０）は様々な位置に回転するが、この回転可能な範囲内に、引っ掛け易い使用位置や嵩張らない格納位置が含まれる。
さらに、前記装着部（１３）は、ケース本体（１１）の開口した上端部外周に外嵌した状態でスナップフィットにより係合し、かつ前記装着部（１３）の内部にある内側管部（１４）がケース本体（１１）の上端部内側に圧入されることにより、強固に固定される。
【手続補正８】
【補正対象書類名】明細書
【補正対象項目名】００１３
【補正方法】変更
【補正の内容】
【００１３】
前記［２］に記載のカテーテルケース（１０）によれば、ロック機構は、フック（２０）を使用位置のほか、使用しないときの格納位置にも拘束可能である。これにより、フック（２０）を使用しないときは、フック（２０）が例えばカテーテルケース（１０）から出っ張らずにコンパクトに重なるような格納位置に拘束しておくこともできる。そのため、カテーテルケース（１０）を嵩張らない状態で携帯したり収納することができ、いっそうカテーテルケース（１０）の使い勝手が向上する。
ここでロック機構は、軸部（２１）を軸受部（３０）に対して使用位置と格納位置とに拘束可能である。すなわち、ロック機構は、軸部（２１）と軸受部（３０）とにおいて、フック（２０）の回転を拘束するものであり、軸部（２１）と軸受部（３０）という限られた箇所にまとめて構成することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
前記［３］に記載のカテーテルケース（１０）によれば、ロック機構は、軸部（２１）に対する回転方向への押圧力により、軸部（２１）を軸受部（３０）に対して使用位置と格納位置とに拘束および拘束解除が可能である。よって、ロック機構では特別な操作は不要となる。
【手続補正１２】
【補正対象書類名】明細書
【補正対象項目名】００１８
【補正方法】変更
【補正の内容】
【００１８】
前記［４］に記載のカテーテルケース（１０）によれば、軸穴（３１）の内周にはカム溝（３２）があり、軸部（２１）の外周にはカム（２４）があり、軸部（２１）は軸受部（３０）に対して、カム（２４）がカム溝（３２）内を移動しつつ案内される範囲で回転する。